(57)【要約】【課題】  原稿搬送時における原稿の重送を検知し、検知の結果によって、重送された原稿を逆送して原稿供給トレイへ排出するか、原稿の搬送を中止するかを選択できる原稿搬送装置を提供する。【解決手段】  原稿８の搬送の中止および逆送を制御する搬送制御部６２と、原稿８の重送を検知する原稿検知部５０と、原稿８を逆送するか、搬送を中止するかの選択を促す報知を行う報知部６３と、原稿８の逆送又は搬送の中止の指示を受け付ける受付部６４と、を備え、原稿検知部５０の検知により、報知部６３が表示を行い、搬送制御部６２は、受付部６４が原稿８の逆送の指示を受け付けた場合は、原稿８を逆送させて原稿供給トレイ１５に排出させ、受付部６４が搬送の中止の指示を受け付けた場合は、原稿８の搬送を中止させる原稿搬送装置４とする。【選択図】図７
2009137716.tif 000002
【特許請求の範囲】
【請求項１】
原稿の搬送の中止および逆送を制御する搬送制御部と、
原稿の重送を検知する原稿検知部と、
原稿を逆送するか、搬送を中止するかの選択を促す報知を行う報知部と、
原稿の逆送又は搬送の中止の指示を受け付ける受付部と、を備え、
前記原稿検知部の検知により、前記報知部が前記報知を行い、前記搬送制御部は、前記受付部が原稿の逆送の指示を受け付けた場合は、原稿を逆送させて原稿供給トレイに排出させ、前記受付部が搬送の中止の指示を受け付けた場合は、原稿の搬送を中止させる、ことを特徴とする原稿搬送装置。
【請求項２】
前記原稿検知部は、重送された原稿の厚さを検知する機能を具備し、
前記原稿が所定の厚さより厚い場合は、前記搬送制御部は、原稿の逆送を行わせ、
前記原稿が所定の厚さより薄い場合は、前記搬送制御部は、原稿の搬送を中止させる、ことを特徴とする請求項１に記載の原稿搬送装置。
【発明の詳細な説明】
【技術分野】
【０００１】
本発明は、原稿搬送装置に関し、詳しくは原稿搬送時における原稿の重送を検知し、当該検知後に、重送された原稿を逆送して原稿供給トレイへ排出するか、又は原稿の搬送を中止する原稿搬送装置の技術に関する。
【背景技術】
【０００２】
従来、ファクシミリ装置等の画像読取装置に設けられ、積載された複数枚の原稿を１枚づつ分離して所定位置（例えば画像読取位置）まで搬送する原稿搬送装置が知られている。この原稿搬送装置は、原稿供給トレイに積載された複数枚の原稿を１枚づつ分離して搬送する。しかし、この原稿搬送装置は、積載された原稿の大きさ、厚さ等によっては、原稿を１枚づつ分離し、搬送することが出来ないことがある。このように、複数枚の原稿が分離されずに重なって搬送されることを原稿の重送という。このような原稿の重送が生じた際に、当該重送を検知する検知部を備えた原稿搬送装置が知られている（例えば、特許文献１）。
【特許文献１】特開２００４−２３４２７号公報
【発明の開示】
【発明が解決しようとする課題】
【０００３】
特許文献１における原稿搬送装置（原稿読取装置）は、原稿搬送時に原稿の重送が検知されると、原稿の搬送を中断し、当該原稿を原稿供給トレイへ逆送して排出する構成となっている。しかし、特許文献１における原稿搬送装置は、検知部が原稿の重送を検知することにより、常に原稿が逆送されて原稿供給トレイへ排出される。そのため、例えば、弾力性の小さい厚さの薄い原稿が重送された場合は、当該原稿を原稿供給トレイへ向けて逆送することにより、原稿に許容以上の力がかかり、原稿の折れ曲がりや破れなどの損傷が生じるという問題があった。また、厚さの充分ある原稿が重送された場合は、逆送時に原稿の損傷は生じ難いものの、重送された原稿は、常に自動的に原稿供給トレイに向けて逆送される。そのため、例えば、原稿が重要な書類である場合などに、原稿の逆送による原稿の破損等を防ぐことが出来なかった。
【０００４】
本発明は、かかる問題を解決すべくなされたものであり、原稿搬送時における原稿の重送を検知し、検知の結果によって、重送された原稿を逆送して原稿供給トレイへ排出するか、原稿の搬送を中止するかを選択できる原稿搬送装置の提供を目的とする。
【課題を解決するための手段】
【０００５】
本発明の解決しようとする課題は以上の如くであり、次にこの課題を解決するための手段を説明する。
【０００６】
即ち、第１の発明に係る原稿搬送装置は、
原稿の搬送の中止および逆送を制御する搬送制御部と、
原稿の重送を検知する原稿検知部と、
原稿を逆送するか、搬送を中止するかの選択を促す報知を行う報知部と、
原稿の逆送又は搬送の中止の指示を受け付ける受付部と、を備え、
前記原稿検知部の検知により、前記報知部が前記報知を行い、前記搬送制御部は、前記受付部が原稿の逆送の指示を受け付けた場合は、原稿を逆送させて原稿供給トレイに排出させ、前記受付部が搬送の中止の指示を受け付けた場合は、原稿の搬送を中止させる、ことを特徴とする原稿搬送装置とした。
【０００７】
第２の発明に係る原稿搬送装置は、第１の発明に係る原稿搬送装置において、
前記原稿検知部は、重送された原稿の厚さを検知する機能を具備し、
前記原稿が所定の厚さより厚い場合は、前記搬送制御部は、原稿の逆送を行わせ、
前記原稿が所定の厚さより薄い場合は、前記搬送制御部は、原稿の搬送を中止させる、ことを特徴とする原稿搬送装置とした。
ここで、所定の厚さとは、原稿を原稿供給トレイへ、折れ曲がりや破れなどの損傷を生じることなく逆送可能な厚さである。
【発明の効果】
【０００８】
本発明の効果として、以下に示すような効果を奏する。
【０００９】
第１の発明においては、原稿検知部の検知により、報知部が報知を行い、搬送制御部は、受付部が原稿の逆送の指示を受け付けた場合は、原稿を逆送させて原稿供給トレイに排出させ、受付部が搬送の中止の指示を受け付けた場合は、原稿の搬送を中止させるようにしたため、ユーザーは、検知の結果によって、重送された原稿を逆送して原稿供給トレイへ排出するか、原稿の搬送を中止するかを選択できる。そのため、重送された原稿の形状、厚さ等に応じて、原稿の排出方法を選択できる。
【００１０】
第２の発明においては、原稿検知部は、重送された原稿の厚さを検知する機能を具備し、原稿が所定の厚さより厚い場合は、搬送制御部は、原稿の逆送を行わせ、原稿が所定の厚さより薄い場合は、搬送制御部は、原稿の搬送を中止させることから、逆送ができない厚さの原稿（厚さの薄い原稿）が重送された場合には、当該原稿を原稿供給トレイへ逆送することがない。そのため、例えば、弾力性の小さい厚さの薄い原稿が重送された場合には、逆送による原稿の折れ曲がりや破れ等の損傷を防止することができる。
【発明を実施するための最良の形態】
【００１１】
以下、本発明の実施形態に係る原稿搬送装置４について図面に基づいて説明する。図１は本発明に係る原稿搬送装置４を備えた複合機１００の全体的な構成を示した斜視図、図２は画像読取装置１の側面図である。尚、以下に、本発明に係る原稿搬送装置４を備えた複合機１００として、ファクシミリ機能と複写機のコピー機能を備えた複合機１００について述べるが、本発明は、実施例に限定されず、ファクシミリ装置やコピー機等に適用することが可能である。
【００１２】
図１に示すように、複合機１００は、画像読取装置１と、画像形成装置２と、から構成されている。画像読取装置１の一側には複合機１００の操作パネル３が付設されており、以下、操作パネル３の付設側を複合機１００において前側とする。
【００１３】
画像読取装置１は、原稿搬送装置４と、画像読取部５とを備えている。画像読取装置１は、原稿８をプラテンガラス７に載せ置いて静止原稿を読み取るフラットベットタイプの画像読取装置として用いることができる。また、画像読取装置１は、原稿搬送装置４によって原稿８を搬送しながら読み取りを行うシートフィードタイプの画像読取装置としても用いることができる。
【００１４】
図１に示すように、原稿搬送装置４は、原稿押えカバー６上部の一端側に構成されており、原稿搬送部１４と、原稿供給トレイ１５と、原稿排出トレイ１６と、原稿検知部５０と、を備えている。原稿供給トレイ１５に載せ置いた原稿８は、原稿搬送部１４により一枚ずつ取り出されて原稿搬送装置４の内部へ搬送され、原稿８の画像が画像読取位置９にて読み取られた後に、原稿排出トレイ１６に排出される。
【００１５】
図２に示すように、画像読取部５は、プラテンガラス７の下方に、原稿８の画像を読み取る位置である画像読取位置９へ光を照射する光源１０と、原稿８からの反射光を所定の方向へ導くための反射ミラー１１・１１・１１と、反射光を収束する集光レンズ１２と、収束光を電気信号に変換して出力する電荷結合素子１３とを備えている。
【００１６】
画像形成装置２は、画像読取装置１の下方に配置されており、画像記録部１７と、画像記録部１７の下方に配置する給紙カセット１８・１８と、から構成されている。画像記録部１７は、電子写真方式のプリンタで構成され、画像読取部５で出力された原稿８の画像や、ファックス等による受信画像を、記録紙上に記録可能に構成されている。画像記録部１７の正面側には、画像形成装置２の記録紙排出トレイ１９が形成されている。
【００１７】
原稿搬送装置４を構成する原稿搬送部１４と、原稿供給トレイ１５と、原稿排出トレイ１６と、原稿検知部５０とについて詳説する。原稿搬送部１４は、各種搬送ローラによって原稿８を搬送するものである。図２に示すように、原稿搬送部１４は、ピックアップローラ２０と、フィードローラ２１、２２、２３、２７と、プレスローラ２４、２５、２６、２８、３０、３１と、排出ローラ３２・３２と、検知体５１と、から構成されている。ピックアップローラ２０は、原稿供給トレイ１５に載せ置かれた原稿８のうち最上にある原稿８を取り出し、原稿搬送装置４内部へ給紙するローラである。そして、フィードローラ２１、２２、２３、２７と、プレスローラ２４、２５、２６、２８、３０、３１と、で原稿８をニップしながら、原稿８を搬送する。排出ローラ３２・３２は、フィードローラ２１、２２、２３、２７、及びプレスローラ２４、２５、２６、２８、３０、３１により搬送された原稿８を原稿排出トレイ１６へ排出するローラである。
【００１８】
原稿供給トレイ１５は、原稿搬送装置４内部に給紙するための原稿８を載せ置くものである。図１に示すように、原稿供給トレイ１５は、平面視略矩形状に形成された平板状部材であり、原稿８を受け入れる方向（図２矢印３８）へ傾斜するように設けられている。原稿供給トレイ１５は、縁部に原稿止め部３９・３９が形成されており、原稿止め部３９・３９のいずれか一方もしくは両方を原稿８の搬送方向に対して直交する方向に操作して、原稿供給トレイ１５に載せ置いた原稿８の位置決めがなされる。
【００１９】
原稿排出トレイ１６は、原稿搬送装置４の内部から排出される原稿８を堆積するものである。原稿排出トレイ１６は、原稿押えカバー６の上面に一体的に形成され、原稿供給トレイ１５と略平行となるように構成されている。
【００２０】
原稿検知部５０は、超音波が原稿８を透過する際に減衰することを利用して、原稿８の重送や、重送された原稿の厚さを検知するものであり、検知体５１と、検知部５３（図６、図８）と、から構成されている。検知体５１は、超音波を発信する送波器５４と、送波器５４から発信された超音波を受信して電気エネルギーに変換して信号を出力する受波器５５と、から構成されている。送波器５４と受波器５５は、原稿８の搬送方向に対して直交して設けられる。
【００２１】
検知部５３は、重送検知部５６を備え、原稿８が重送されているか否かを検知する。具体的には、実験等により重送時の超音波の減衰度を算出し、当該算出結果に基づいて所定の閾値を予め定める。そして、当該閾値と、実際に搬送される原稿に対する超音波の減衰度と、を比較し、両者の差により原稿８が重送されているか否かを検知する。
【００２２】
図３は検知体５１近傍の平面概略図である。なお、図３において、原稿８は図示下方向から図示上方向（図３矢印３６方向）へ搬送される。検知体５１は、原稿供給トレイ１５に最も近い位置にあるプレスローラ２４と、プレスローラ２４に隣接するプレスローラ２５との間に配置されている。検知体５１は、送波器５４を原稿８の搬送方向（図３矢印３６方向）に対して、垂直方向（搬送経路３７の幅方向）の右側部（５４ａ）、中央部（５４ｂ）、左側部（５４ｃ）の３ヶ所に配置されている。検知体５１の受波器５５ａ、５５ｂ、５５ｃは、対応する送波器５４ａ、５４ｂ、５４ｃの真下に配置され、上下方向の間隔は、原稿８の重送、及び重送された原稿８の厚さを検知できる間隔とする。送波器５４、及び受波器５５は、右側部、中央部、左側部の３ヶ所に配置されていることから、例えば、原稿８が搬送経路３７の中央部のみを搬送する場合（図３原稿８ａ）や原稿８が搬送経路３７の片側部を搬送する場合（図３原稿８ｂ）であっても、原稿８はいずれかの送波器５４と受波器５５との間を通過する。原稿検知部５０は、いずれか１つの受波器５５（５５ａ、５５ｂ、５５ｃ）で、原稿８の重送時の減衰度の超音波を受信することにより、搬送された原稿８は重送されていると検知する。そのため、原稿検知部５０は、原稿８の搬送状態、原稿８の大きさ等によらず、原稿８の重送、及び重送された原稿８の厚さを検知することができる。
【００２３】
次に、本発明の第１の実施例に係る原稿搬送装置４の制御機構６０について説明する。図６は、第１の実施例に係る原稿搬送装置４の制御機構６０のブロック図である。原稿搬送装置４は、各動作を制御機構６０により制御されている。制御機構６０は、制御部６１と、搬送制御部６２と、検知部５３と、報知部６３と、受付部６４と、から構成されており、制御部６１は、制御機構６０の各部と接続され、制御機構６０の各部を制御する。
【００２４】
搬送制御部６２は、通常搬送時の原稿８の搬送を制御するとともに、原稿８の重送時における原稿８の搬送の中止および逆送を制御する。搬送制御部６２は、搬送モータ６６を具備する。搬送モータ６６は、原稿搬送部１４の搬送ローラ（ピックアップローラ２０、フィードローラ２１、２２、２３、２７、排出ローラ３２）に接続されている。搬送制御部６２は、搬送モータ６６を制御することにより、原稿搬送部１４の搬送ローラ（ピックアップローラ２０、フィードローラ２１、２２、２３、２７、排出ローラ３２）の回転を制御する。
【００２５】
検知部５３は、前述のように原稿８が重送されているか否かを検知するものである。検知部５３の重送検知部５６は検知体５１と接続され、検知体５１が送信する信号に基づいて原稿８が重送されているか否かを検知する。
【００２６】
報知部６３は、検知部５３からの検知信号を受信することにより、原稿８を原稿供給トレイ１５に逆送するか、搬送を中止するかの選択をユーザーに促す報知を行う。また、報知部６３は、原稿８が重送された際に、原稿８の重送を報知する。さらに、報知部６３は、ユーザーが重送された原稿８の排出操作として手動を選択したことを示す「手動排出オペレーション」を報知する。報知部６３は、操作パネル３と接続され、例えば、音による報知、画面表示による報知等を操作パネル３を介して行う。
【００２７】
受付部６４は、搬送制御部６２と接続されている。受付部６４は、原稿の逆送の指示を受け付けた場合には、搬送制御部６２に対して、原稿８の逆送を行わせる信号を送信する。一方、受付部６４は搬送の中止の指示を受け付けた場合には、搬送制御部６２に対して、原稿８の搬送を中止させる信号を送信する。
【００２８】
図７は第１の実施例に係る原稿搬送装置４における制御のフローチャートである。なお、特に限定しない限り、制御機構６０の各部の動作は制御部６１を介して行う。
【００２９】
原稿８の画像の読み取りを開始する信号が送信されると、搬送制御部６２は搬送モータ６６を制御して原稿８の搬送を開始する（Ｓ１）（図４参照）。原稿８の搬送が開始されることにより、検知部５３は、原稿８が重送されているか否かを検知する（Ｓ２）。この時、重送検知部５６は、検知体５１が送信する信号に基づいて、原稿８が重送されているか否かを検知する。重送を検知しない場合（Ｓ２−Ｎｏ）、制御部６１は、原稿８の画像が画像読取部５により読み取られたか否かを判断する（Ｓ３）。画像の読み取りが終了していない場合（Ｓ３−Ｎｏ）、検知部５３は、引き続き原稿８が重送されているか否かを検知する（Ｓ２）。画像の読み取りが終了した場合（Ｓ３−Ｙｅｓ）、搬送制御部６２は搬送モータ６６を制御して原稿８を原稿排出トレイ１６へ排出し、原稿８の画像読み取りを終了する。
【００３０】
検知部５３が重送を検知した場合（Ｓ２−Ｙｅｓ）、検知部５３は、搬送制御部６２に対して原稿８が重送している旨の検知信号を送信する。搬送制御部６２は当該検知信号を受信することにより、搬送モータ６６を停止させ（Ｓ４）、原稿８の搬送を一時停止する。搬送モータ６６が停止した後、報知部６３は原稿８が重送しているというエラーを報知する（Ｓ５）。報知部６３は、重送エラーの報知を行った後、原稿８を原稿供給トレイ１５に逆送するか、搬送を中止するかの選択を促す報知を行う。そして、制御部６１は原稿が重送された際の制御（重送検知エラーオペレーション）を開始する（Ｓ６）。制御部６１が重送の際の制御を開始することにより、ユーザーは原稿８を原稿供給トレイ１５に逆送せずにユーザが手動で原稿８を排出する「手動」操作を行うか否かを選択する（Ｓ７）。
【００３１】
ユーザーが「手動」操作を選択しなかった場合、すなわち受付部６４が搬送の中止の指示を受け付けなかった場合（Ｓ７−Ｎｏ）、ユーザーは自動で原稿８を逆送させて原稿供給トレイ１５へ排出する「自動」操作を行うか否かを選択する（Ｓ８）。ユーザーが「自動」操作を選択しなかった場合、すなわちユーザーが「手動」操作も「自動」操作も選択しなかった場合（Ｓ８−Ｎｏ）、制御機構６０はユーザーがどちらかの操作を選択するまで待機状態となる（Ｓ７）。
【００３２】
ユーザーが「手動」操作を選択した場合、すなわち受付部６４が搬送の中止の指示を受け付けた場合（Ｓ７−Ｙｅｓ）、報知部６３は、「手動排出オペレーション」を報知する（Ｓ９）。この時、搬送制御部６２は原稿８の搬送を中止し、原稿８を停止状態で保持する。「手動排出オペレーション」が報知されると、制御部６１は搬送経路３７から原稿８が排出されているか否かを判断する（Ｓ１０）。原稿８が排出されていない場合（Ｓ１０−Ｎｏ）、報知部６３は、「手動排出オペレーション」を報知し続ける（Ｓ９）。原稿８が排出されている場合（Ｓ１０−Ｙｅｓ）、報知部６３は、重送エラーの報知を消去する（Ｓ１１）。
【００３３】
ユーザーが「手動」操作を選択せず（Ｓ７−Ｎｏ）、「自動」操作を選択した場合、すなわち受付部６４が原稿８の逆送の指示を受け付けた場合（Ｓ８−Ｙｅｓ）、搬送制御部６２は、搬送モータ６６の回転を逆転させることで原稿８を逆送し（図５参照）、原稿供給トレイ１５へ排出する（Ｓ１２）。原稿８が原稿供給トレイ１５へ排出されることにより、報知部６３は、重送エラーの報知を消去する（Ｓ１１）。
【００３４】
以上説明した第１の実施例に係る原稿搬送装置４によれば、原稿検知部５０の検知部５３の検知により、報知部６３が報知を行い、搬送制御部６２は、受付部６４が原稿８の逆送の指示を受け付けた場合は、原稿８を逆送させて原稿供給トレイ１５に排出させ、受付部６４が搬送の中止の指示を受け付けた場合は、原稿８の搬送を中止させるようにしたため、ユーザーは、検知の結果によって、重送された原稿８を逆送して原稿供給トレイ１５へ排出するか、原稿８の搬送を中止するかを選択することができる。そのため、重送された原稿８の形状、厚さ等に応じて、原稿８の排出方法を選択できる。
【００３５】
次に、本発明の第２の実施例に係る原稿搬送装置４について説明する。図８は、第２の実施例に係る原稿搬送装置４の制御機構６０のブロック図である。制御機構６０のうち、検知部５３が第１の実施例と大きく異なっている。制御機構６０のうち、制御部６１、搬送制御部６２、報知部６３、受付部６４は、第１実施例と同じ構成であるため説明を省略する。
【００３６】
検知部５３は、重送検知部５６と、厚さ検知部５７と、を具備しており、重送検知部５６は、検知体５１と接続され、検知体５１が検知した超音波の減衰度に基づいて原稿８が重送されているか否かを検知する。
【００３７】
厚さ検知部５７は、検知体５１と接続され、検知体５１が検知した超音波の減衰度に基づいて、重送された原稿８の厚さを検知する。具体的には、実験等により様々な厚さの原稿ついて重送時の超音波の減衰度を算出し、当該算出結果に基づいて所定の閾値を予め定める。そして、当該閾値と、実際に搬送される原稿に対する超音波の減衰度と、を比較し、両者の差により原稿８の厚さを検知する。
【００３８】
図９は第２の実施例に係る原稿搬送装置４における制御のフローチャートである。尚、特に限定しない限り、制御機構６０の各部の動作は制御部６１を介して行う。
【００３９】
原稿８の画像の読み取りを開始する信号が送信されると、搬送制御部６２は搬送モータ６６を制御して原稿８の搬送を開始する（Ｓ２０）（図４参照）。原稿８の搬送が開始されることにより、検知部５３は、原稿８が重送されているか否かを検知する（Ｓ２１）。この時、重送検知部５６は、検知体５１が送信する信号に基づいて原稿８が重送されているか否かを検知する。重送を検知しない場合（Ｓ２１−Ｎｏ）、制御部６１は、原稿８の画像が画像読取部５により読み取られたか否かを判断する（Ｓ２２）。画像の読み取りが終了していない場合（Ｓ２２−Ｎｏ）、検知部５３は、引き続き原稿８が重送されているか否かを検知する（Ｓ２１）。画像の読み取りが終了した場合（Ｓ２２−Ｙｅｓ）、搬送制御部６２は搬送モータ６６を制御して原稿８を原稿排出トレイ１６へ排出し、原稿８の画像読み取りを終了する。
【００４０】
検知部５３が重送を検知した場合（Ｓ２１−Ｙｅｓ）、検知部５３は、搬送制御部６２に対して原稿８が重送している旨の検知信号を送信する。搬送制御部６２は当該検知信号を受信することにより、搬送モータ６６を停止させ（Ｓ２３）、原稿８の搬送を一時停止する。搬送モータ６６が停止した後、報知部６３は原稿８が重送しているというエラーを報知する（Ｓ２４）。報知部６３が重送エラーを報知することにより、報知部６３は原稿８を原稿供給トレイ１５に逆送するか、搬送を中止するかの選択を促す報知を行う。そして、制御部６１は原稿が重送された際の制御（重送検知エラーオペレーション）を開始する（Ｓ２５）。制御部６１が重送の際の制御を開始することにより、検知部５３は、重送された原稿８の厚さを検知する（Ｓ２６）。この時、厚さ検知部５７は、検知体５１から送信される信号に基づいて、重送された原稿８の厚さを検知する。
【００４１】
重送された原稿８が所定の厚さより厚いと検知した場合（Ｓ２６−Ｙｅｓ）、ユーザーは原稿８を原稿供給トレイ１５に逆送せずにユーザーが手動で原稿８を排出する「手動」操作を行うか否かを選択する（Ｓ２７）。ここで、報知部６３は、原稿８が逆送可能な厚さであることの報知を行っても構わない。なお、所定の厚さとは、原稿８を原稿供給トレイ１５へ、折れ曲がりや破れなどの損傷が生じることなく逆送可能な厚さのことをいう。
【００４２】
ユーザーが「手動」操作を選択しなかった場合、すなわち受付部６４が搬送の中止の指示を受け付けなかった場合（Ｓ２７−Ｎｏ）、ユーザーは自動で原稿８を逆送させて原稿供給トレイ１５へ排出する「自動」操作を行うか否かを選択する（Ｓ２８）。ユーザーが「自動」操作を選択しなかった場合、すなわちユーザーが「手動」操作も「自動」操作も選択しなかった場合、制御機構６０はユーザーがどちらかの操作を選択するまで待機状態となる（Ｓ２７）。
【００４３】
ユーザーが「手動」操作を選択した場合、すなわち受付部６４が搬送の中止の指示を受け付けた場合（Ｓ２７−Ｙｅｓ）、報知部６３は、「手動排出オペレーション」を報知する（Ｓ２９）。この時、搬送制御部６２は原稿８の搬送を中止し、原稿８を停止状態で保持する。「手動排出オペレーション」が報知されると、制御部６１は搬送経路３７から原稿８が排出されているか否かを判断する（Ｓ３０）。原稿８が排出されていない場合（Ｓ３０−Ｎｏ）、報知部６３は、「手動排出オペレーション」を報知し続ける（Ｓ２９）。原稿８が排出されている場合（Ｓ３０−Ｙｅｓ）、報知部６３は、重送エラーの報知を消去する（Ｓ３１）。
【００４４】
ユーザーが「手動」操作を選択せず（Ｓ２７−Ｎｏ）、「自動」操作を選択した場合、すなわち受付部６４が原稿８の逆送の指示を受け付けた場合（Ｓ２８−Ｙｅｓ）、搬送制御部６２は、搬送モータ６６の回転を逆転させることで原稿８を逆送し（図５参照）、原稿供給トレイ１５へ排出する（Ｓ３２）。原稿８が原稿供給トレイ１５へ排出されることにより、報知部６３は、重送エラーの報知を消去する（Ｓ３１）。
【００４５】
検知部５３が、重送された原稿８は所定の厚さより薄いと検知した場合（Ｓ２６−Ｎｏ）、報知部６３は、「手動排出オペレーション」を報知する（Ｓ２９）。この時、検知部５３は、搬送制御部６２に対して、重送された原稿８は所定の厚さより薄い旨の検知信号を送信する。搬送制御部６２が当該検知信号を受信することにより、搬送制御部６２は原稿８の搬送を中止し、原稿８を停止状態で保持する。
【００４６】
このように、重送された原稿８が所定の厚さより薄い場合、すなわち、重送された原稿８が原稿供給トレイ１５へ逆送可能な厚さではない場合、原稿８の排出は、ユーザが手動で排出する手動操作のみとなり、搬送モータ６６は逆回転されず、原稿８の搬送自体を中止することで、原稿８を停止した状態で保持する。
【００４７】
「手動排出オペレーション」が報知されることにより（Ｓ２９）、制御部６１は搬送経路３７から原稿８が排出されているか否かを判断する（Ｓ３０）。原稿８が排出されていない場合（Ｓ３０−Ｎｏ）、報知部６３は、「手動排出オペレーション」を報知し続ける（Ｓ２９）。原稿８が排出されている場合（Ｓ３０−Ｙｅｓ）、報知部６３は、重送エラーの報知を消去する（Ｓ３１）。
【００４８】
以上説明した第２の実施例に係る原稿搬送装置４によれば、原稿検知部５０の検知部５３は、重送された原稿８の厚さを検知する機能を具備し、原稿８が所定の厚さより厚い場合は、搬送制御部６２は、原稿８の逆送させて原稿供給トレイ１５に排出させ、原稿８が所定の厚さより薄い場合は、搬送制御部６２は、原稿８の搬送を中止させることから、逆送ができない厚さの原稿８（厚さの薄い原稿８）が重送された場合には、原稿８を原稿供給トレイ１５へ逆送することがない。そのため、例えば、弾力性の小さい厚さの薄い原稿８が重送された場合には、逆送による原稿８の折れ曲がりや破れ等の損傷を防止することができる。
【図面の簡単な説明】
【００４９】
【図１】本発明に係る原稿搬送装置４を備えた複合機１００の斜視図。
【図２】画像読取装置１の側面図。
【図３】検知体５１近傍の平面概略図。
【図４】原稿８搬送時の検知体５１近傍の側面概略図。
【図５】原稿８逆送時の検知体５１近傍の側面概略図。
【図６】第１の実施例に係る原稿搬送装置４の制御機構６０のブロック図。
【図７】第１の実施例に係る原稿搬送装置４における制御のフローチャート。
【図８】第２の実施例に係る原稿搬送装置４の制御機構６０のブロック図。
【図９】第２の実施例に係る原稿搬送装置４における制御のフローチャート。
【符号の説明】
【００５０】
４                原稿搬送装置
８                原稿
５０              原稿検知部
６２              搬送制御部
６３              報知部
６４              受付部
【図１】
2009137716.tif 000003
【図２】
2009137716.tif 000004
【図３】
2009137716.tif 000005
【図４】
2009137716.tif 000006
【図５】
2009137716.tif 000007
【図６】
2009137716.tif 000008
【図７】
2009137716.tif 000009
【図８】
2009137716.tif 000010
【図９】
2009137716.tif 000011